(57)【要約】【課題】オープンショーケースが時期に応じた最大限の保冷性能を発揮することができるオープンショーケース用の整流装置を提供する。【解決手段】少なくとも前面が開放された保冷室２と、該保冷室２の内部に複数の棚５とを有し、前記保冷室２の上部の吹出口１２から、該保冷室２の下部の吸込口１３に向けて冷気が吹き出されて、前記棚５の前方にエアーカーテンが形成されることで、前記保冷室２の内部が保冷されるオープンショーケース１に用いられる整流装置２３において、前記棚５の前方の冷気の流れを整流する整流部２６と、該整流部２６を前記棚５に着脱可能に取り付ける取付部２４とを備える。【選択図】図２
2014108180.tif 000002
【特許請求の範囲】
【請求項１】
少なくとも前面が開放された保冷室と、該保冷室の内部に複数の棚とを有し、前記保冷室の上部の吹出口から、該保冷室の下部の吸込口に向けて冷気が吹き出されて、前記棚の前方にエアーカーテンが形成されることで、前記保冷室の内部が保冷されるオープンショーケースに用いられる整流装置において、
前記棚の前方の冷気の流れを整流する整流部と、該整流部を前記棚に着脱可能に取り付ける取付部とを備えることを特徴とするオープンショーケース用の整流装置。
【請求項２】
前記取付部は、前記棚の前端の立上部に上方から取り付けられることを特徴とする請求項１に記載のオープンショーケース用の整流装置。
【請求項３】
前記整流部は、該整流部の前面にカード保持部が設けられることを特徴とする請求項１または２に記載のオープンショーケース用の整流装置。
【請求項４】
前記取付部は、前記整流部を前記棚の前上方に向かって持ち上げられるように曲げ撓め可能な可撓部を有することを特徴とする請求項１ないし３のいずれかに記載のオープンショーケース用の整流装置。
【請求項５】
前記整流部は、伸縮可能な合成樹脂製のハニカム構造体から成ることを特徴とする請求項１ないし４のいずれかに記載のオープンショーケース用の整流装置。
【発明の詳細な説明】
【技術分野】
【０００１】
本発明は、少なくとも前面が開放された保冷室と、該保冷室の内部に複数の棚とを有し、前記保冷室の上部の吹出口から、該保冷室の下部の吸込口に向けて冷気が吹き出されて、前記棚の前方にエアーカーテンが形成されることで、前記保冷室の内部が保冷されるオープンショーケース用の整流装置に関する。
【背景技術】
【０００２】
従来、スーパーマーケットやコンビニエンスストアにおいて、冷凍食品や生鮮食料品等の商品を陳列するとともに所望の温度に保持するために、冷気循環式のオープンショーケースが利用されている。
【０００３】
このようなオープンショーケースでは、前面が開口されたケース本体の内部に形成された収納室（保冷室）に上下方向に沿って商品載置棚（陳列棚）が複数段設けられるとともに、ケース本体と収納室との間に形成された空気通路に冷却装置と送風機とが設けられている。また、収納室内の空気を、収納室の下部に設けられた吸込口から空気通路に吸い込み、冷却かつ圧送して、収納室の上部に設けられた吹出口から冷気として収納室内に吹き出すことで、収納室の前面にエアーカーテンを形成して、収納室内の商品を保冷するようにしている。
【０００４】
そして、商品載置棚の前端部と離間して設けられることにより該前端部との間にスリットを形成するスリット形成部材を備え、吹出口から吹き出された空気が該スリットを通過するようにしたものが知られている（例えば、特許文献１参照）。
【０００５】
また、商品陳列棚（陳列棚）を本体棚と前後方向に移動調整可能に連結されるスライド棚とに分割するとともに、該スライド棚の前部に導風ガイド板を設けて、該棚板と導風ガイド板との間にエアーカーテン導風路を形成することで、導風ガイド板がエアーカーテンを適正にガイドする位置に設定されるようにしたものもある（例えば、特許文献２参照）。
【先行技術文献】
【特許文献】
【０００６】
【特許文献１】特開２０１１−１８８８８９号公報（第５頁、第１図）
【特許文献２】特開２０１１−１６７３８４号公報（第４頁、第５図）
【発明の概要】
【発明が解決しようとする課題】
【０００７】
しかしながら、特許文献１や特許文献２にあっては、スリット形成部材や導風ガイド（冷気整流体）が、エアーカーテンの流路上に設けられており、これらは冷気の流れに対して抵抗となる。
【０００８】
すなわち、スリット形成部材等は冷気の流れに対して抵抗となるものの、店舗で空調設備等の送風が強められる梅雨時や夏期などのオープンショーケースの周辺環境が変化してエアーカーテンが乱れる時期には、送風等で乱された冷気の流れがスリットを通過することで逐次整えられて下流に流れるので、エアーカーテンが良好に維持される効果を奏する。一方で、上記以外の秋期から春期にかけては、送風等によるエアーカーテンへの影響が殆どなく、スリット形成部材等は単に冷気の流れに対する抵抗となって、送風機の負荷の割合が増加するので、オープンショーケースの保冷性能が最大限に発揮されない虞がある。
【０００９】
本発明は、このような問題点に着目してなされたもので、オープンショーケースが時期に応じた最大限の保冷性能を発揮することができるオープンショーケース用の整流装置を提供することを目的とする。
【課題を解決するための手段】
【００１０】
前記課題を解決するために、本発明のオープンショーケース用の整流装置は、
少なくとも前面が開放された保冷室と、該保冷室の内部に複数の棚とを有し、前記保冷室の上部の吹出口から、該保冷室の下部の吸込口に向けて冷気が吹き出されて、前記棚の前方にエアーカーテンが形成されることで、前記保冷室の内部が保冷されるオープンショーケースに用いられる整流装置において、
前記棚の前方の冷気の流れを整流する整流部と、該整流部を前記棚に着脱可能に取り付ける取付部とを備えることを特徴としている。
この特徴によれば、店舗で空調設備等の送風が強められる梅雨時や夏期などのオープンショーケースの周辺環境が変化してエアーカーテンが乱れる時期には、保冷庫の棚に整流装置を取り付けて整流部で冷気の流れを整えることで、エアーカーテンが良好に維持されてオープンショーケースの保冷性能を維持でき、なおかつ、上記以外の時期には、棚から整流装置を取り外すことで、冷気流路上の抵抗が低減されてオープンショーケースの保冷性能を高められるので、時期に応じた最大の保冷性能をオープンショーケースに発揮させることができる。
【００１１】
本発明のオープンショーケース用の整流装置は、
前記取付部は、前記棚の前端の立上部に上方から取り付けられることを特徴としている。
この特徴によれば、付部が棚の前端の立上部に上方から取り付けられる構成とすることにより、棚からの商品の落下を防止するために設けられている立上部を利用して、整流装置を棚の前部に容易に取り付けることができる。
【００１２】
本発明のオープンショーケース用の整流装置は、
前記整流部は、該整流部の前面にカード保持部が設けられることを特徴としている。
この特徴によれば、整流部の前面にカード保持部が設けられることにより、整流部の前面を利用してカード保持部を設けることができるとともに、棚の最前方に、商品表示等のカードを表示でき、商品の販売を促進できる。
【００１３】
本発明のオープンショーケース用の整流装置は、
前記取付部は、前記整流部を前記棚の前上方に向かって持ち上げられるように曲げ撓め可能な可撓部を有することを特徴としている。
この特徴によれば、取付部が可撓部を有することにより、店舗等で従業員や客が棚から商品を取るときに、商品や手が整流装置に当たった場合には、可撓部が商品や手の当たった衝撃を吸収するので、商品や人が疵付くことが防止される。また、可撓部を有することで、棚の先端面のカードにバーコード等が記載されている場合でも、整流装置を取り外すことなく、店舗の従業員が整流部を前上方に持ち上げて、棚の先端面のカードに読取装置を当ててバーコード等を読み取れるので、店舗の従業員の作業性を高められる。
【００１４】
本発明のオープンショーケース用の整流装置は、
前記整流部は、伸縮可能な合成樹脂製のハニカム構造体から成ることを特徴としている。
この特徴によれば、整流部をハニカム構造体とすることで、冷気の流れ方向の整流部の強度が高められる一方で、整流部を伸縮可能な合成樹脂製とすることで、店舗の従業員等が棚に商品を置くときに商品が整流装置に当たった場合には、合成樹脂製のハニカム構造体が、商品が当たった衝撃を吸収するので商品を疵付けることなく、さらに、従業員や客等が整流部に触れた場合の安全性を高めることができる。
【図面の簡単な説明】
【００１５】
【図１】実施例１におけるオープンショーケース用整流装置を備えたオープンショーケースを示す側断面図である。
【図２】棚に装着されたオープンショーケース用整流装置を示す側断面図である。
【図３】オープンショーケース用整流装置の棚への取付態様を示す側断面図である。
【図４】オープンショーケース用整流装置の整流部の回動態様を示す側断面図である。
【図５】オープンショーケース用整流装置の整流部の具体例を示す上面図である。
【発明を実施するための形態】
【００１６】
本発明に係るオープンショーケース用整流装置を実施するための形態を実施例に基づいて以下に説明する。
【実施例１】
【００１７】
実施例１に係るオープンショーケース用整流装置につき、図１から図５を参照して説明する。以下、図１乃至図４の紙面左側をオープンショーケースの正面側（前面側）とする。
【００１８】
図１の符号１は、本発明の適用されたオープンショーケース用整流装置が装着された冷気循環式のオープンショーケースである。このオープンショーケース１は、複数の商品を低温に保ち冷凍または冷蔵した状態で陳列可能な保冷室２を有している。
【００１９】
また、この保冷室２は、前面が開口された断熱構造を有するケース本体３の内部が、仕切壁４により仕切られて形成されている。また、背面側の仕切壁４には、商品を陳列するための陳列棚５が上下多段に取り付けられている。さらに、保冷室２の下部には、商品（図示略）を陳列可能な底板６が設けられており、保冷室２内に多数の商品を載置可能な構成となっている。
【００２０】
また、ケース本体３の上部前端はキャノピー７で覆われており、その下部には照明８が配設されている。そして、キャノピーにより照明光が反射されて、保冷室２の内部が均一に照らされるようになっている。さらに、キャノピー７にはロール式のナイトカバー（図示略）が収納されている。
【００２１】
また、ケース本体３と仕切壁４との間には、保冷室２を覆うように冷気を循環させるための通風路１０が設けられている。この通風路１０には、その底部に、冷気を圧送する送風機１１が設置されているとともに、垂直部に、空気を冷却する冷却装置９が設置されている。
【００２２】
また、ケース本体３の下部には、通風路１０に保冷室２内の空気を吸い込む吸込口１３が形成されており、ケース本体３の上部には、保冷室２の前面に通風路１０内の冷気を吹き出す吹出口１２が形成されている。
【００２３】
また、吸込口１３は、ケース本体３の幅方向に延設されている。そして、吸込口１３には、前後方向のほぼ中央より後方が下方に緩やかに折曲された横長の平板状をなす吸込口カバー１４が取り付けられており、この吸込口カバー１４の前側と後側のそれぞれの面には、前後方向に延びたスリット状をなし通風路１０に連通する吸込孔１５が、左右方向に多数穿設されている。一方、吹出口１２は、ケース本体３の幅方向に延設されており、吹出口１２には、横長の直方体構造の空気整流体１６が着脱自在に保持されており、通風路１０内の冷気が下方向に整流されて吹き出されるようになっている。
【００２４】
また、保冷室２の背面側の仕切壁４には、陳列棚５を支持するブラケット１７の後端の係止片１８が係止される複数の係止孔（図示略）が所定間隔離間して縦列に穿設されており、任意の係止孔を利用してブラケット１７が取り付けられている。そして、ブラケット１７により陳列棚５が支持され、左右一対のブラケット１７の間に陳列棚５が架設されている。また、各陳列棚の奥行き寸法は、後述するエアーカーテン１９と棚板とが干渉しないように所定寸法に定められている。
【００２５】
また、陳列棚５の上面の先端部には、棚上に陳列された商品の落下を防止するために立上部としての立設部材２０が設けられている。さらに、陳列棚５の前縁部には、商品案内文字や価格、バーコード等が記載られたカード３４’を取り付けるためのフロントレール２１が装着されている。このフロントレール２１は、陳列棚５の左右方向に延設されており、その上端と下端には長手方向に沿って前方に折曲された折返片２２、２２有している。これらの折返片２２、２２の間にはカード３４’を係止することができる。
【００２６】
次に、本発明に係るオープンショーケース用整流装置（以下、整流装置と示す）について説明する。図２および図３に示すように、本実施例の整流装置２３は、通過する冷気の流れを整流する整流部２６と、陳列棚５の上面の先端部に設けられた立設部材２０に脱着可能に取り付けられる取付部２４と、商品案内文字や価格表示等が記載されたカード３４を保持するカード保持部２５とから構成される。
【００２７】
この整流装置２３の整流部２６は、正面視で横長の直方体をなしており、横幅は陳列棚５とほぼ等しく、縦幅は陳列棚５の立設部材２０の縦幅とほぼ等しく形成されている。また、整流部２６は、図５に示すように、上面視で略正六角形をなし陳列棚５の上面側から下面側に連通する連通孔２７が複数形成された合成樹脂製のハニカム構造体であって、前後方向および左右方向に伸縮可能な所定の弾性を備えている。
【００２８】
また、図２に示すように、整流部２６の前面および後面には、整流部２６の形状を維持するための支持板２８がそれぞれ固定されている。なお、支持板２８は正面視で整流部２６とほぼ同じ形状に形成されている。
【００２９】
また、整流部２６の前面の保持板２８には、整流装置２３の取付部２４が形成されている。この取付部２４は、曲げ撓み可能な可撓部２９と、当該可撓部から後下方に延設された延設片３０と、当該可撓部から前下方に延設された屈曲片３１により構成されており、この可撓部２９により、図４に示すように、整流部２６を矢印Ａ方向、すなわち上下方向へ持ち上げたり降ろしたりできる。さらに、延設片３０と屈曲片３１とで陳列棚５の立設部材２０を上方から挟持できるようになっている。
【００３０】
また、可撓部２９は、整流部２６の後面側の保持板２８上部から連続して設けられており、保持板２８をポリエチレンテレフタレート等の合成樹脂によって形成する際に、可撓部２９に弾性変形可能な合成樹脂材料として熱可塑性エラストマーによる部位が形成されることで可撓性を有するように構成される。
【００３１】
また、可撓部２９は、上後方に向けて緩やかに傾斜するように屈曲しており、後述するカード押さえ板３２の上部に形成された拡大部３３と合わせて、整流装置２３が取り付けられた棚板の上方側の冷気が整流部２６に流れ込みやすくなっている。
【００３２】
また、前述の取付部２４の延設片３０と屈曲片３１とは、両者で挟持部３５を構成し、延設片３０と屈曲片３１の下方側の幅寸法が立設部材２０の厚さ寸法よりも小さくなるように形成されているので、陳列棚５の前端に設けられた立設部材２０に対して挟持部３５が前後から挟持したときに、着脱可能かつ確実に固定できる。
【００３３】
なお、屈曲片３１は、その上方部が前方に屈曲されているとともに、その下方部が前下方に向けて折曲されている。これにより、挟持部３５を上方から立設部材２０に取り付けて挟持する際には、整流装置２３を上方から下方へ押し下げるだけで、屈曲片３１が容易に開き、かつ上部の屈曲を利用して撓みやすくなっているので、円滑に挟持部３５を立設部材２０に装着できる。さらに、立設部材２０が、ワイヤで形成されたストッパーである場合であっても、取付部３５をワイヤに引っ掛けることで、整流装置２３を陳列棚５の前部に取り付けることができる。
【００３４】
また、本発明に係るカード保持部２５は、整流部２６の前面の保持板２８と一体に形成されており、該保持板２８の下端を上方へ折り返して保持板２８の上端まで延設されたカード押さえ板３２と、カード押さえ板３２の上端から斜め前上方に向けて延設された拡大部３３とを有する。これにより、該保持板２８がカード支持板となり、カード支持板とカード押さえ板３２との間に、商品案内文字や商品価格を表示するプライスカードやＰＯＰ等のカード３４を保持することが可能になる。また、カード押さえ板３２が保持板２８の下端を上方へ折り返して構成されているので、カード３４が落下することがない。さらに、拡大部３３が保持板２８の上端よりやや高く形成されるとともに、前上方に向けて形成されていることにより、整流装置２３上流側の冷気が導かれて整流部２６に流れ込みやすくなっており、整流部２６を通過する冷気の流量を増やすことができる。
【００３５】
また、拡大部３３が前方へ屈曲されていることで、カード押さえ板３２とカード支持板との間に上方からカード３４を挿入する際に、カード３４を挟み込みやすくなっている。また、カード支持板はフロントレール２１よりも上下幅が広くなっているので、上述のカード３４’よりも大型のカードを挟み込み、商品の販売を促進できる。なお、少なくともカード押さえ板３２は透明の合成樹脂より形成することが望ましい。これにより、カード押さえ板３２の上方からカード３４を目視できるようになる。
【００３６】
図４に示すように、可撓部２９を中心軸として整流部２６を矢印Ａ方向に回転させるように上方に持ち上げると、整流装置２３の後方のフロントレール２１に設けられたカード３４’が露呈される。これにより、例えば、フロントレール２１に係止されたカード３４’にバーコード等が記載されている場合、整流装置２３を取り除かなくても、バーコード等に読取装置（図示略）を容易に当てて読取ることができ、店舗の従業員の労力を軽減できる。
【００３７】
次に、前述した整流装置２３が装着されたオープンショーケースの作用につき説明する。
【００３８】
先ず、通風路１０内に設けられた送風機１１を駆動させて、ケース本体の底部の吸込口１３から空気を取り込むとともに、取り込んだ空気を冷却装置９により冷却しつつ、通風路１０内を対流させる。そして、通風路１０内の冷気を、ケース本体３の天井部の吹出口１２から吸込口１３に向けて吹き出させる。
【００３９】
すると、吹出口１２から吹き出された冷気の一部は保冷室２の内部を対流して、保冷室２内の商品を冷却する。また、他の一部は直接吸込口１３に達して吸込孔１５に流れ込むか、吸込口１３に達する途中で整流装置２３に達して整流部２６を通過する。整流装置２３に達した冷気の流れは連通孔２７に沿って導風される。整流部２６を通過する前の流れは、店舗の空調設備による送風Ｄ等の外乱を受けていることがあるが、整流部２６の連通孔２７は、上下方向に細長い管状に形成されているので、連通孔２７内を通る冷気の流れは、連通孔２７の内壁に衝突することで左右方向や前後方向に拡散する力が弱められ、上下方向の流れのみに整えられて、下流側の整流装置２３に向けて吹き出される。
【００４０】
そして、冷気は、整流装置２３を次々に流下して、同様に整流装置２３によって流れが整えられながら吸込口１３に達して吸い込まれる。これにより、保冷室２の陳列棚５の前面にエアーカーテンが作り出されるとともに、冷気がオープンショーケース１内で循環されるので、保冷室２内の冷気が外部に拡散することや外部の熱が保冷室２内に侵入することが低減されて、保冷室２内を一定温度に効率よく維持することができる。
【００４１】
以上により、店舗の空調設備等からの送風Ｄがエアーカーテン１９に当たるなどの外的要因によってエアーカーテンが乱される可能性がある場合であっても、陳列棚５の前部に設けられた整流装置２３の整流機能によりエアーカーテン１９が層流状態に維持されるので、高い保冷性能を維持することが可能となる。
【００４２】
また、取付部２４により整流装置２３を陳列棚５（棚）から容易に着脱できることにより、店舗で空調設備等の送風Ｄが強められる梅雨時や夏期などのオープンショーケース１の周辺環境が変化してエアーカーテンが乱れる時期には、保冷室２の陳列棚５（棚）に整流装置２３を取り付けて整流部２６で冷気の流れを整えることで、エアーカーテン１９が良好に維持されてオープンショーケース１の保冷性能を維持でき、なおかつ、上記以外の時期には、陳列棚５から整流装置２３を取り外すことで、冷気の流路上の抵抗が低減されてオープンショーケース１の保冷性能を高められるので、時期に応じた最大の保冷性能をオープンショーケース１に発揮させることができる。
【００４３】
また、取付部２４が陳列棚５（棚）の前端の立設部材２０（立上部）に上方から取り付けられる構成とすることにより、陳列棚５からの商品の落下を防止するために設けられている立設部材２０を利用して、整流装置２３を陳列棚５の前部に容易に取り付けることができる。
【００４４】
また、整流部２６の前面にカード保持部２５が設けられることにより、整流部２６の前面を利用してカード保持部２５を設けることができるとともに、陳列棚５（棚）の最前方に、商品表示等のカード３４を表示でき、商品の販売を促進できる。
【００４５】
また、取付部２４が可撓部２９を有することにより、店舗等で従業員や客が陳列棚５（棚）から商品を取るときに、商品や手が整流装置２３に当たった場合には、可撓部２９が商品や手の当たった衝撃を吸収するので、商品や人が疵付くことが防止される。また、可撓部２９を有することで、陳列棚５の先端面のカード３４’にバーコード等が記載されている場合でも、整流装置２３を取り外すことなく、店舗の従業員が整流部２６を前上方に持ち上げて、陳列棚５の先端面のカード３４’に読取装置を当ててバーコード等を読み取れるので、店舗の従業員の作業性を高められる。
【００４６】
また、整流部２６をハニカム構造体とすることで、冷気の流れ方向の整流部２６の強度が高められる一方で、整流部２６を伸縮可能な合成樹脂製とすることで、店舗の従業員等が陳列棚５（棚）に商品を置くときに商品が整流装置２３に当たった場合には、合成樹脂製のハニカム構造体が、商品が当たった衝撃を吸収するので商品を疵付けることが防止され、さらに、従業員や客等が整流部２６に触れた場合の安全性を高めることができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、図５（ａ）に示すように、整流部２６を正六角形の連通孔２７を複数形成することで、ハニカム構造としたが、図５（ｂ）に示すように、複数の筒状の合成樹脂製のチューブが平行に並べられた層と合成樹脂製の板とを交互に積層して連通孔２７Ｂを形成して整流部２６Ｂを構成してもよいし、図５（ｃ）に示すように、平面状に形成された板と波状に形成された波板とをそれぞれ合成樹脂で形成するとともに、それらを交互に積層して連通孔２７Ｃを形成して整流部２６Ｃを構成してもよい。さらに、図５（ｄ）に示すように、異なる形状の連通孔２７Ｄ、２７Ｄ’を組み合わせて整流部２６Ｄを構成してもよい。
【００４９】
また、前記実施例では、取付部２４が陳列棚５の前端の立設部材２０を上方から挟持するように構成しているが、取付部２４が立設部材を左右方向から挟持するように構成してもよく、陳列棚５の他の部位を取付部２４が挟持するように構成してもよいし、着脱可能であれば必ずしも挟持するものに限定されず、例えば、陳列棚５にフックを設けて引っ掛けるようにしてもよい。
【００５０】
また、前記実施例では、取付部２４は立設部材２０に取り付けられるように構成しているが、立設部材２０に限らず、棚の前端に直接取り付けてもよい。
【符号の説明】
【００５１】
１                オープンショーケース
２                保冷室
３                ケース本体
４                仕切壁
５                陳列棚（棚）
６                底板
７                キャノピー
８                照明
９                冷却装置
１０              通風路
１１              送風機
１２              吹出口
１３              吸込口
１４              吸込口カバー
１５              吸込孔
１６              空気整流体
１７              ブラケット
１８              係止片
１９              エアーカーテン
２０              立設部材（立上部）
２１              フロントレール
２２              折返片
２３              整流装置
２４              取付部
２５              カード保持部
２６              整流部
２７              連通孔
２８              支持板
２９              可撓部
３０              延設片
３１              屈曲片
３２              カード押さえ板
３３              拡大部
３４              商品表示カード
３５              挟持部
３６              ショーケースコントローラ
３７              保冷室内温度計
３８              冷気温度計
【図１】
2014108180.tif 000003
【図２】
2014108180.tif 000004
【図３】
2014108180.tif 000005
【図４】
2014108180.tif 000006
【図５】
2014108180.tif 000007